【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
給水を格納して呼吸用ガスのフローを加湿するように構成された加湿機チャンバであって、前記給水を加熱するように構成された第１の加熱素子を備える加湿機チャンバと、
周囲空気の相対湿度を検出し、且つ該周囲相対湿度を示す信号を生成する相対湿度センサと、
周囲空気の温度を検出し、且つ該周囲温度を示す信号を生成する第１の温度センサと、
前記相対湿度センサ及び前記第１の温度センサによって生成された前記信号から前記周囲空気の絶対湿度を判断し、且つ前記第１の加熱素子を制御して所定の相対湿度を前記呼吸用ガスのフローに提供するように構成されたコントローラとを備える、呼吸用ガスの加湿フローを患者に送達する呼吸装置用の加湿機。
【請求項２】
前記コントローラが、前記第１の加熱素子を制御して、前記呼吸用ガスのフローを所定温度で提供するように更に構成される、請求項１に記載の加湿機。
【請求項３】
前記コントローラが、前記所定の相対湿度及び前記所定温度に対応する所定の絶対湿度を判断する、請求項２に記載の加湿機。
【請求項４】
前記所定の絶対湿度が約１１から４４ｍｇ／Ｌである、請求項３に記載の加湿機。
【請求項５】
前記所定温度が約１５℃から３７℃である、請求項２に記載の加湿機。
【請求項６】
前記所定温度が約２６から２８℃である、請求項２に記載の加湿機。
【請求項７】
前記所定の相対湿度が約５０％から１００％である、請求項１から６のいずれか一項に記載の加湿機。
【請求項８】
前記所定の相対湿度が約７０％から９０％である、請求項１から６のいずれか一項に記載の加湿機。
【請求項９】
前記患者または臨床医が、前記所定温度及び／または前記所定の相対湿度及び／または前記所定の絶対湿度を選択できるように構成されたユーザ入力を更に備える、請求項１から８のいずれか一項に記載の加湿機。
【請求項１０】
前記ユーザ入力が制御ノブを含む、請求項９に記載の加湿機。
【請求項１１】
前記給水の温度または前記第１の加熱素子の温度を検出すると共に、前記給水の前記温度または前記第１の加熱素子の前記温度をそれぞれ示す信号を生成する第２の温度センサを更に備え、
前記コントローラが、前記第１の加熱素子を、前記第２の温度センサによって生成された前記信号のフィードバックループ内で制御するように構成される、請求項１から１０のいずれか一項に記載の加湿機。
【請求項１２】
前記コントローラが前記給水の蒸発率を計算して、前記所定の絶対湿度を提供する、請求項３に記載の加湿機。
【請求項１３】
前記蒸発率が、前記呼吸用ガスのフローの流量、及び前記所定の絶対湿度と前記周囲絶対湿度との間の差を掛けることによって決定される、請求項１２に記載の加湿機。
【請求項１４】
前記コントローラが、式ＡＨａ＝ＲＨａ・（Ｋ１−Ｋ２・Ｔａ＋Ｋ３・Ｔａ２）（式中、ＡＨａは前記周囲絶対湿度、ＲＨａは前記周囲相対湿度、及びＴａは前記周囲温度）に従って前記周囲絶対湿度を計算し、また、式ＡＨｐ＝ＲＨｐ・（Ｋ１−Ｋ２・Ｔｐ＋Ｋ３・Ｔｐ２）（式中、ＡＨｐは前記所定の絶対湿度、ＲＨｐは前記所定の相対湿度、Ｔｐは前記所定温度、及びＫ１、Ｋ２、Ｋ３は係数）に従って前記所定の絶対湿度を計算する、請求項３から１３のいずれか一項に記載の加湿機。
【請求項１５】
前記流量を決定し、且つ前記流量を示す信号を生成するように構成された流量センサを更に備える、請求項１３または請求項１４に記載の加湿機。
【請求項１６】
前記流量が、前記呼吸用ガスのフローの圧力での患者インターフェースからの換気フローに対応する、請求項１３または請求項１４に記載の加湿機。
【請求項１７】
前記コントローラが、前記第１の加熱素子を制御して、前記流量が増加するにつれて前記給水の前記温度を上昇させ、前記流量が減少するにつれて前記給水の前記温度を低下させるように構成される、請求項１から１６のいずれか一項に記載の加湿機。
【請求項１８】
前記コントローラが、前記第１の加熱素子を制御して、前記周囲絶対湿度が増加するにつれて前記給水の前記温度を上昇させ、前記周囲絶対湿度が減少するにつれて前記給水の前記温度を低下させるように構成される、請求項１から１７のいずれか一項に記載の加湿機。
【請求項１９】
前記コントローラが、前記第１の加熱素子を制御して、前記所定温度が上昇するにつれて前記給水の前記温度を上昇させ、前記所定温度が低下するにつれて前記給水の前記温度を低下させるように構成される、請求項１から１８のいずれか一項に記載の加湿機。
【請求項２０】
複数の所定温度、複数の所定の相対湿度、及び複数の対応する所定の絶対湿度が、前記コントローラに動作可能に関連付けられたメモリに格納される、請求項１から１９のいずれか一項に記載の加湿機。
【請求項２１】
給水を格納して呼吸用ガスのフローを加湿するように構成された加湿機チャンバであって、前記給水を加熱するように構成された第１の加熱素子を備える加湿機チャンバと、
周囲空気の相対湿度を検出し、且つ該周囲相対湿度を示す信号を生成する相対湿度センサと、
周囲空気の温度を検出し、且つ該周囲温度を示す信号を生成する第１の温度センサと、  
前記相対湿度センサ及び前記第１の温度センサによって生成された前記信号から前記周囲空気の絶対湿度を判断し、且つ前記第１の加熱素子を制御して、所定の絶対湿度、所定温度、及び／または所定の相対湿度を前記呼吸用ガスのフローに提供するように構成されたコントローラとを備える、呼吸用ガスの加湿フローを患者に送達する呼吸装置用の加湿機。
【請求項２２】
給水を格納して呼吸用ガスのフローを加湿するように構成された加湿機チャンバであって、前記給水を加熱するように構成された第１の加熱素子を備える加湿機チャンバと、
加湿フローの絶対湿度を検出し、且つ該絶対湿度を示す信号を生成する絶対湿度センサと、
前記絶対湿度センサから前記信号を受け取り、且つ前記第１の加熱素子を制御して、所定の絶対湿度、所定温度、及び／または所定の相対湿度を前記呼吸用ガスのフローに提供するように構成されたコントローラとを備える、呼吸用ガスの加湿フローを患者に送達する呼吸装置用の加湿機。
【請求項２３】
前記加湿機の出口に接続するように構成された第１の端部と、患者インターフェースに接続するように構成された第２の端部とを備える送達ホースと、
該送達ホース内の前記加湿フローを加熱するように構成された第２の加熱素子とを更に備える、請求項１から２２のいずれか一項に記載の加湿機。
【請求項２４】
前記送達ホースの前記第２の端部において前記加湿フローの温度を検出すると共に、該検出温度を示す信号を生成するように構成された、前記送達ホースの前記第２の端部における第３の温度センサを更に備える、請求項２３に記載の加湿機。
【請求項２５】
前記コントローラが、前記第３の温度センサからの前記信号に応答して前記第２の加熱素子を制御して、前記所定温度及び前記所定の相対湿度で前記送達ホースの前記第２の端部において前記加湿フローを提供するように構成される、請求項２４に記載の加湿機。
【請求項２６】
前記所定の絶対湿度が、前記送達ホースの前記第２の端部における前記所定温度及び前記所定の相対湿度に対応する、請求項２３から２５のいずれか一項に記載の加湿機。
【請求項２７】
前記送達ホースの前記第２の端部における前記所定温度が、前記周囲空気温度に等しいか、それよりも高い、請求項２６に記載の加湿機。
【請求項２８】
前記コントローラが、前記呼吸用ガスの流量の変化を判断すると共に、前記流量の該変化が所定の流量変化を超えるとき、前記第２の加熱素子を制御して前記所定温度を調整するように構成される、請求項２４から２７のいずれか一項に記載の加湿機。
【請求項２９】
前記コントローラが、前記流量の前記変化が前記流量の所定の減少を超えるとき、前記第２の加熱素子を制御して前記所定温度を上昇させるように構成される、請求項２８に記載の加湿機。
【請求項３０】
前記コントローラが、前記第２の加熱素子を制御して、前記所定温度を飽和温度を上回るまで上昇させるように構成される、請求項２９に記載の加湿機。
【請求項３１】
前記コントローラが、前記流量の前記変化が前記流量の前記所定の減少を超えるとき、前記第１の加熱素子を制御して前記給水の前記温度を低下させるように構成される、請求項３０に記載の加湿機。
【請求項３２】
前記コントローラが、前記給水の前記温度を低下させるように前記第１の加熱素子が制御された後、前記第２の加熱素子を制御して所定時間に前記所定温度を低下させるように構成される、請求項３１に記載の加湿機。
【請求項３３】
前記コントローラが、前記流量の前記変化が前記流量の所定の増加を超えるとき、前記第２の加熱素子を制御して前記所定温度を低下させるように構成される、請求項２８に記載の加湿機。
【請求項３４】
前記コントローラが前記第１の加熱素子のデューティ比を制御するように構成される、請求項１から３３のいずれか一項に記載の加湿機。
【請求項３５】
前記コントローラが、前記第１の加熱素子及び前記第２の加熱素子それぞれのデューティ比を制御するように構成される、請求項２３から３３のいずれか一項に記載の加湿機。
【請求項３６】
呼吸用ガスのフローを生成するフロージェネレータと、
請求項１から３５のいずれか一項に記載の加湿機とを備える、呼吸用ガスの加湿フローを患者に送達する呼吸装置。
【手続補正２】
【補正対象書類名】明細書
【補正対象項目名】発明の名称
【補正方法】変更
【補正の内容】
【発明の名称】呼吸装置用の加湿機及び呼吸用ガスの加湿フローを患者に送達する呼吸装置